【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
分類対象キーワードを入力するキーワード入力部と、
複数の登録キーワードのそれぞれに対してカテゴリが割り当てられたカテゴリ辞書を取得する辞書取得部と、
テキストを取得するテキスト取得部と、
前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出し、検索された前記登録キーワードに応じて、抽出された前記カテゴリに重要度を設定する抽出部と、
抽出された前記カテゴリを、前記分類対象キーワードを分類すべきカテゴリ候補として、各カテゴリの重要度と共に出力する出力部と、
を備える情報処理装置。
【請求項２】
前記抽出部は、前記類似度を編集距離に基づいて算出する請求項１に記載の情報処理装置。
【請求項３】
前記抽出部は、前記検索された前記登録キーワードの数に応じて、当該カテゴリに重要度を設定する
請求項１または２に記載の情報処理装置。
【請求項４】
前記抽出部は、各登録キーワードにより抽出した各カテゴリの組み合わせのうち、同一である組み合わせの数に応じて、当該カテゴリに重要度を設定する
請求項１から３のいずれか１項に記載の情報処理装置。
【請求項５】
前記抽出部は、前記分類対象キーワードに対する類似度に基づき検索した登録キーワードに応じて抽出された各カテゴリの組み合わせのうち同一である組み合わせの数、及び、前記分類対象キーワードとの共起に基づき検索した登録キーワードに応じて抽出された各カテゴリの組み合わせのうち同一の組み合わせの数に応じて、当該カテゴリに重要度を設定する
請求項１から４のいずれか１項に記載の情報処理装置。
【請求項６】
前記抽出部は、前記分類対象キーワードの文字数に応じて、前記分類対象キーワードに対する類似度に基づき検索した登録キーワード及び前記分類対象キーワードとの共起に基づき検索した登録キーワードに優先度を設定する
請求項１から５のいずれか１項に記載の情報処理装置。
【請求項７】
前記抽出部は、前記分類対象キーワードの文字数が多くなるにつれて、前記分類対象キーワードに対する類似度に基づき検索した登録キーワードの優先度を、前記分類対象キーワードとの共起に基づき検索した登録キーワードの優先度より高くする
請求項６に記載の情報処理装置。
【請求項８】
前記抽出部は、前記分類対象キーワードに対する類似度に応じて、検索した前記登録キーワードに優先度を設定する
請求項１から７のいずれか１項に記載の情報処理装置。
【請求項９】
前記抽出部は、前記共起の程度を示す共起尺度に基づいて、検索した前記登録キーワードに優先度を設定する
請求項１から８のいずれか１項に記載の情報処理装置。
【請求項１０】
前記抽出部は、前記登録キーワードの優先度に基づいて、抽出した前記カテゴリに重要度を設定する
請求項５から９のいずれか１項に記載の情報処理装置。
【請求項１１】
前記出力部は、検索された前記登録キーワードのそれぞれに対して割り当てられたカテゴリを関連付けてユーザに対して出力する
請求項１から１０のいずれか１項に記載の情報処理装置。
【請求項１２】
前記出力部は、検索された前記登録キーワードのそれぞれと、当該登録キーワードを抽出した検索が類似度に基づく処理と共起に基づく処理とのいずれかであるかを識別可能に出力する
請求項１から１１のいずれか１項に記載の情報処理装置。
【請求項１３】
前記抽出部は、前記カテゴリ辞書から前記分類対象キーワードを含む登録キーワードを更に検索して、検索された登録キーワードに割り当てられたカテゴリを前記カテゴリ辞書から抽出する
請求項１から１２のいずれか１項に記載の情報処理装置。
【請求項１４】
前記出力部は、前記抽出部が抽出したカテゴリの候補を、他のカテゴリと異なる表示で出力する
請求項１から１３のいずれか１項に記載の情報処理装置。
【請求項１５】
前記出力部は、前記抽出部が検索した前記登録キーワードのうち、前記分類対象キーワードの一部からなる登録キーワードを他の登録キーワードと異なる表示で出力する
請求項１から１４のいずれか１項に記載の情報処理装置。
【請求項１６】
前記出力部は、前記抽出部が検索した前記登録キーワードのうち、前記分類対象キーワードを含む登録キーワードを他の登録キーワードと異なる表示で出力する
請求項１から１５のいずれか１項に記載の情報処理装置。
【請求項１７】
分類対象キーワードを入力するキーワード入力段階と、
複数の登録キーワードのそれぞれに対してカテゴリが割り当てられたカテゴリ辞書を取得する辞書取得段階と、
テキストを取得するテキスト取得段階と、
前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出する抽出段階と、
検索された前記登録キーワードに応じて、抽出された前記登録キーワードに応じて、抽出された前記カテゴリに重要度を設定する設定段階と、
抽出された前記カテゴリを、前記分類対象キーワードを分類すべきカテゴリの候補として、各カテゴリの重要度と共に出力する出力段階と、
を備える方法。
【請求項１８】
分類対象キーワードを入力するキーワード入力部と、
複数の登録キーワードのそれぞれに対してカテゴリが割り当てられたカテゴリ辞書を取得する辞書取得部と、
テキストを取得するテキスト取得部と、
前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出し、検索された前記登録キーワードに応じて、抽出された前記カテゴリに重要度を設定する抽出部と、
抽出された前記カテゴリを、前記分類対象キーワードを分類すべきカテゴリの候補として、各カテゴリの重要度と共に出力する出力部と、
してコンピュータを機能させるプログラム。
【手続補正２】
【補正対象書類名】明細書
【補正対象項目名】０００４
【補正方法】変更
【補正の内容】
【０００４】
本発明の第１の態様においては、分類対象キーワードを入力するキーワード入力部と、複数の登録キーワードのそれぞれに対してカテゴリが割り当てられたカテゴリ辞書を取得する辞書取得部と、テキストを取得するテキスト取得部と、前記カテゴリ辞書から分類対象キーワードに対して類似度が予め定められた基準値以上の登録キーワード、および、前記テキスト中において前記分類対象キーワードと共起する登録キーワードを検索して、検索された登録キーワードに割り当てられたカテゴリを前記カテゴリ辞書から抽出し、検索された前記登録キーワードに応じて、抽出された前記カテゴリに重要度を設定する抽出部と、抽出された前記カテゴリを、前記分類対象キーワードを分類すべきカテゴリの候補として、各カテゴリの重要度と共に出力する出力部と、を備える情報処理装置、及び情報処理装置に対応する方法とプログラムとを提供する。